(57)【要約】【課題】所望のライブ映像を容易に取得することができるサービスを行うライブ映像取得支援サービスサーバを提供すること。【解決手段】端末２から送信される、所望の撮影対象を指定する為の検索キー情報を受信する検索キー情報受信部１１と、カメラの撮影情報及びカメラから出力されるライブ映像の格納場所を示すＵＲＬ情報がカメラ毎に記録されたデータベース１３の中から、検索キー情報を基に、指定された撮影対象を含むライブ映像を出力するカメラを検索するライブ映像検索部１４と、ライブ映像検索部１４により検索されたカメラから出力されるライブ映像のＵＲＬ情報をデータベース１３から取得するＵＲＬ情報取得部１５と、ＵＲＬ情報取得部１５により取得されたＵＲＬ情報を端末２に送信する送信部１６とを備える。【選択図】　図２
2004120390.tif 000002
【特許請求の範囲】
【請求項１】
カメラから出力されるライブ映像を、ネットワークを介して提供する複数のウェブサイトの中から、所望の撮影対象を含むライブ映像を取得する為の支援を行うライブ映像取得支援サービスサーバであって、
端末から送信される、前記所望の撮影対象を指定する為の指定情報を受信する受信手段と、
前記カメラの撮影対象を示す撮影対象情報と、前記カメラから出力されるライブ映像が格納される、ネットワーク上に構築された格納場所を示す格納場所情報とが前記カメラ毎に記録された、前記ライブ映像取得支援サービスサーバによってアクセス可能なデータベースの中から、前記指定情報により指定された撮影対象を含むライブ映像を出力するカメラを検索する検索手段と、
前記検索手段により検索されたカメラから出力されるライブ映像の格納場所情報を前記データベースから取得する格納場所情報取得手段と、
前記格納場所情報取得手段により取得された格納場所情報を前記端末に送信する送信手段とを備えることを特徴とするライブ映像取得支援サービスサーバ。
【請求項２】
請求項１記載のライブ映像取得支援サービスサーバであって、
前記端末は携帯端末装置を含み、
前記指定情報を送信した携帯端末装置の機種を判別する機種判別手段と、
前記格納場所情報取得手段により取得された格納場所情報に基づくライブ映像を取得するライブ映像取得手段と、
前記ライブ映像取得手段により取得されたライブ映像を、前記機種判別手段によって判別された携帯端末装置の機種に応じたライブ映像に変換するライブ映像変換手段と、
前記ライブ映像変換手段によって変換されたライブ映像をネットワーク上に構築された格納場所に格納する格納手段とを備え、
前記送信手段は、前記変換後のライブ映像の格納場所を示す格納場所情報を前記携帯端末装置に送信することを特徴とするライブ映像取得支援サービスサーバ。
【請求項３】
請求項１記載のライブ映像取得支援サービスサーバであって、
前記端末は携帯端末装置を含み、
前記送信手段によって送信された格納場所情報に対して前記携帯端末装置からアクセスがあると、当該携帯端末装置の機種を判別する機種判別手段と、
前記アクセスがあった格納場所情報に基づくライブ映像を取得するライブ映像取得手段と、
前記ライブ映像取得手段により取得されたライブ映像を、前記機種判別手段によって判別された携帯端末装置の機種に応じたライブ映像に変換するライブ映像変換手段とを備え、
前記送信手段は、前記ライブ映像変換手段によって変換されたライブ映像を前記携帯端末装置に送信することを特徴とするライブ映像取得支援サービスサーバ。
【請求項４】
請求項１記載のライブ映像取得支援サービスサーバであって、
前記格納場所情報取得手段により取得された格納場所情報に基づくライブ映像を取得するライブ映像取得手段を備え、
前記送信手段は、前記ライブ映像取得手段により取得されたライブ映像を前記端末に送信することを特徴とするライブ映像取得支援サービスサーバ。
【請求項５】
請求項４記載のライブ映像取得支援サービスサーバであって、
前記端末は携帯端末装置を含み、
前記指定情報を送信した携帯端末装置の機種を判別する機種判別手段と、
前記ライブ映像取得手段により取得されたライブ映像を、前記機種判別手段によって判別された携帯端末装置の機種に応じたライブ映像に変換するライブ映像変換手段とを備え、
前記送信手段は、前記ライブ映像変換手段によって変換されたライブ映像を前記携帯端末装置に送信することを特徴とするライブ映像取得支援サービスサーバ。
【発明の詳細な説明】
【０００１】
【発明の属する技術分野】
本発明は、カメラから出力されるライブ映像を、ネットワークを介して提供する複数のウェブサイトの中から、所望の撮影対象を含むライブ映像を取得する為の支援を行うライブ映像取得支援サービスサーバに関する。
【０００２】
【従来の技術】
近年、スキー場、海水浴場、及びレジャー施設等の観光地に設置されたカメラにより、観光地の気象状況や混雑状況等を撮影し、撮影した映像（ライブ映像）をリアルタイムでインターネット等のネットワークを介してユーザに提供するウェブサイトが普及してきており、その数はかなりのものとなっている。
【０００３】
こういった状況下において、ユーザが、希望するライブ映像をインターネット上で取得しようとした場合、何百とあるウェブサイトの中から、所望のライブ映像を探し出して取得することは困難な作業である。そこで、近年、所望のライブ映像を提供しているウェブサイトを簡単に検索できるようなサービスが開始されている。
【０００４】
以下、ライブ映像を提供するウェブサイトを検索するサービスについて説明する。このサービスは、パーソナルコンピュータ（ＰＣ）等の端末によりディスプレイ上に表示されるウェブページにおいて、例えば“東京タワー”という検索キーが入力され、検索が実行されると、データベースに登録されている複数のウェブサイトの中から、東京タワーの映像が含まれるライブ映像を提供しているウェブサイトを検索し、検索されたウェブサイトのＵＲＬ等（Ｕｎｉｆｏｒｍ　Ｒｅｓｏｕｒｃｅ　Ｌｏｃａｔｏｒ）を検索結果としてウェブページ上に表示するというものである（非特許文献１参照）。尚、ウェブページ上に表示されるＵＲＬとは、検索されたウェブサイトのトップページのＵＲＬや東京タワーの映像を含むライブ映像のリンク等が貼られているウェブページのＵＲＬ等である。
【０００５】
【非特許文献１】
“ｉｅｎｇｉｎｅ”、［ｏｎｌｉｎｅ］、サービス開始日：平成１４年２月１日、株式会社インターネットテレビジョン、［平成１４年８月２１日検索］、インターネット＜ＵＲＬ：ｈｔｔｐ：／／ｉｅｎｇｉｎｅ．ｊｐ／＞
【０００６】
【発明が解決しようとする課題】
しかしながら、上記従来の検索サービスでは、検索結果として、所望のライブ映像を提供するウェブサイトのトップページや所望のライブ映像のリンクが貼られたウェブページのＵＲＬをユーザに紹介するだけの場合が多い。この為、ユーザは、一旦トップページにアクセスしてから、東京タワーが映っているライブ映像を提供しているウェブページにアクセスする必要がある。又、同一のウェブページ上に複数のライブ映像のリンクが貼られている場合も同様に、ユーザは、一旦ウェブページにアクセスしてから、東京タワーが映っているライブ映像のリンクにアクセスする必要がある。したがって、このサービスによれば、所望のライブ映像を提供しているウェブサイトを検索することは簡単だが、ユーザが最終的に欲しい東京タワーという撮影対象を含んだライブ映像を取得するには、ウェブページのリンクにアクセスするといった面倒な作業が必要であるという問題点があった。
【０００７】
本発明は、上記従来の問題点に鑑みて為されたものであり、所望のライブ映像を容易に取得することができるサービスを行うライブ映像取得支援サービスサーバを提供することを目的とする。
【０００８】
【課題を解決するための手段】
本発明のライブ映像取得支援サービスサーバは、カメラから出力されるライブ映像を、ネットワークを介して提供する複数のウェブサイトの中から、所望の撮影対象を含むライブ映像を取得する為の支援を行うライブ映像取得支援サービスサーバであって、端末から送信される、前記所望の撮影対象を指定する為の指定情報を受信する受信手段と、前記カメラの撮影対象を示す撮影対象情報と、前記カメラから出力されるライブ映像が格納される、ネットワーク上に構築された格納場所を示す格納場所情報とが前記カメラ毎に記録された、前記ライブ映像取得支援サービスサーバによってアクセス可能なデータベースの中から、前記指定情報により指定された撮影対象を含むライブ映像を出力するカメラを検索する検索手段と、前記検索手段により検索されたカメラから出力されるライブ映像の格納場所情報を前記データベースから取得する格納場所情報取得手段と、前記格納場所情報取得手段により取得された格納場所情報を前記端末に送信する送信手段とを備える。
【０００９】
この構成により、検索手段による検索の結果、端末のユーザの希望するライブ映像が格納される格納場所情報が端末に送信されてくる為、ユーザは端末を用いてその格納場所にアクセスすることで、所望の撮影対象を含むライブ映像を直接取得することができる。
【００１０】
又、本発明のライブ映像取得支援サービスサーバは、前記端末は携帯端末装置を含み、前記指定情報を送信した携帯端末装置の機種を判別する機種判別手段と、前記格納場所情報取得手段により取得された格納場所情報に基づくライブ映像を取得するライブ映像取得手段と、前記ライブ映像取得手段により取得されたライブ映像を、前記機種判別手段によって判別された携帯端末装置の機種に応じたライブ映像に変換するライブ映像変換手段と、前記ライブ映像変換手段によって変換されたライブ映像をネットワーク上に構築された格納場所に格納する格納手段とを備え、前記送信手段は、前記変換後のライブ映像の格納場所を示す格納場所情報を前記携帯端末装置に送信する。
【００１１】
この構成により、携帯端末のように機種が多数存在するような端末でも、その機種に応じて変換されたライブ映像の格納場所情報が送信されてくる為、機種能力の差によってライブ映像を正確に表示できないといった不具合を解消することができる。
【００１２】
又、本発明のライブ映像取得支援サービスサーバは、前記端末は携帯端末装置を含み、前記送信手段によって送信された格納場所情報に対して前記携帯端末装置からアクセスがあると、当該携帯端末装置の機種を判別する機種判別手段と、前記アクセスがあった格納場所情報に基づくライブ映像を取得するライブ映像取得手段と、前記ライブ映像取得手段により取得されたライブ映像を、前記機種判別手段によって判別された携帯端末装置の機種に応じたライブ映像に変換するライブ映像変換手段とを備え、前記送信手段は、前記ライブ映像変換手段によって変換されたライブ映像を前記携帯端末装置に送信する。
【００１３】
この構成により、携帯端末のような機種が多数存在するような端末でも、所望の撮影対象を含むライブ映像がその機種に応じたライブ映像に変換されて送信されてくる為、機種能力の差によってライブ映像を正確に表示できないといった不具合を解消することができる。
【００１４】
又、本発明のライブ映像取得支援サービスサーバは、前記格納場所情報取得手段により取得された格納場所情報に基づくライブ映像を取得するライブ映像取得手段を備え、前記送信手段は、前記ライブ映像取得手段により取得されたライブ映像を前記端末に送信する。
【００１５】
この構成により、所望の撮影対象を含むライブ映像が端末に直接送信される為、端末のユーザが所望の撮影対象を含むライブ映像を取得するまでに要する時間を短縮することができる。
【００１６】
又、本発明のライブ映像取得支援サービスサーバは、前記端末は携帯端末装置を含み、前記指定情報を送信した携帯端末装置の機種を判別する機種判別手段と、前記ライブ映像取得手段により取得されたライブ映像を、前記機種判別手段によって判別された携帯端末装置の機種に応じたライブ映像に変換するライブ映像変換手段とを備え、前記送信手段は、前記ライブ映像変換手段によって変換されたライブ映像を前記携帯端末装置に送信する。
【００１７】
この構成により、携帯端末のように機種が多数存在するような端末でも、所望の撮影対象を含むライブ映像が、その機種に応じたライブ映像に変換されて送信されてくる為、機種能力の差によってライブ映像を正確に表示できないといった不具合を解消することができる。
【００１８】
【発明の実施の形態】
以下、本発明の実施形態について図面を参照して説明する。
（第一実施形態）
図１は、本発明の第一実施形態に係るライブ映像取得支援システムの構成図である。
ライブ映像取得支援システム１は、ライブ映像を提供するウェブサイトを検索する検索サイトを管理するライブ映像検索サーバ１０、ＰＣや携帯電話機等の端末２、及び観光地等に設置したカメラからのライブ映像をネットワーク３を介して提供する複数のウェブサイト４を備える。尚、ライブ映像検索サーバ１０、端末２、及びウェブサイト４はインターネット等のネットワーク３に接続される。又、端末２は、ＨＴＴＰ（Ｈｙｐｅｒｔｅｘｔ　Ｔｒａｎｓｆｅｒ　Ｐｒｏｔｏｃｏｌ）に基づいてウェブサイト４やライブ映像検索サーバ１０にアクセス可能である。
【００１９】
図２は、本発明の第一実施形態に係るライブ映像検索サーバ１０の内部構成図である。
ライブ映像検索サーバ１０は、検索キー情報受信部１１、制御部１２、データベース１３、ライブ映像検索部１４、ＵＲＬ情報取得部１５、及び送信部１６を備える。尚、検索キー情報受信部１１、データベース１３、ライブ映像検索部１４、ＵＲＬ情報取得部１５、及び送信部１６は、制御部１２によって制御される。
【００２０】
検索キー情報受信部１１は、検索サイトのウェブページ上で、端末２により検索キー情報が入力され、検索要求が行われると、その検索キー情報を受信する。ここで、検索キー情報とは、端末２のユーザが希望するライブ映像を取得する為のキーとなる情報である。例えば、端末２のユーザが、東京タワーが映っているライブ映像の取得を希望する場合は、ユーザは、検索サイトのウェブページ上で、“東京タワー”という検索キー情報を入力して検索要求を行う。
【００２１】
データベース１３は、ウェブサイト４の管理しているカメラに関する情報等が予め登録されている。尚、データベース１３は、ライブ映像検索サーバ１０によりアクセス可能であれば良く、ライブ映像検索サーバ１０の外に設けられた外部データベースを用いても構わない。
【００２２】
図３は、本発明の第一実施形態に係るデータベース内に登録されるデータのデータ構成図である。
データベース１３には、カメラ情報管理テーブル１３０、ランドマーク管理テーブル１３１、行政区分管理テーブル１３２、及びライブ映像ＵＲＬ管理テーブル１３３が登録される。
【００２３】
カメラ情報管理テーブル１３０には、ウェブサイト４で管理されるカメラ毎の撮影情報（設置場所の緯度・経度、焦点距離範囲、視野角範囲、及び回転範囲）が登録されており、この撮影情報により、カメラ毎の撮影可能エリア（撮影対象情報）が決定される。
【００２４】
ランドマーク管理テーブル１３１には、全国各地におけるランドマークの位置情報（緯度・経度）が、ランドマーク名と共に登録される。
【００２５】
行政区分管理テーブル１３２には、全国各地の行政区分毎の位置情報（緯度・経度）が、行政区分名と共に登録される。
【００２６】
ライブ映像ＵＲＬ管理テーブル１３３には、カメラ情報管理テーブル１３０に登録されているカメラから出力されるライブ映像の格納場所ＵＲＬ情報が、ウェブサイト４によって管理されるカメラ毎に登録される。尚、上記ＵＲＬ情報が示す格納場所に格納されているライブ映像とは、カメラから出力されるライブ映像そのもの（時間毎の静止画データ等）であり、ライブ映像のリンクＵＲＬ等が貼り付けられたウェブページではない。
【００２７】
図２に戻り、ライブ映像検索部１４は、検索キー情報受信部１１で受信された検索キー情報を基に、データベース１３内を検索する。検索キーが東京タワーの場合であれば、東京タワーが撮影対象となっている（撮影エリア内に入っている）カメラを検索し、そのカメラのカメラＩＤをＵＲＬ情報取得部１５に伝達する。
【００２８】
ＵＲＬ情報取得部１５は、ライブ映像検索部１４から伝達されたカメラＩＤを基に、そのカメラから出力されるライブ映像の格納場所ＵＲＬ情報を、データベース１３から取得し、送信部１６に伝達する。尚、ライブ映像検索部１４による検索の結果、東京タワーが撮影対象となっているカメラが複数存在する場合は、ＵＲＬ情報取得部１５は、複数のカメラ毎のライブ映像の格納場所ＵＲＬ情報を取得し、それらを一覧表としてまとめた上で、送信部１６に伝達する。
【００２９】
送信部１６は、ＵＲＬ情報取得部１５から伝達されたＵＲＬ情報やＵＲＬ情報の一覧表等を端末２に送信する。
【００３０】
次に、ライブ映像検索サーバ１０の動作について説明する。
図４は、本発明の第一実施形態に係るライブ映像検索サーバの動作を説明する為のフローチャートである。
端末２のディスプレイ上に検索サイトのウェブページが表示され、ユーザによって、東京タワーが検索キー情報として入力され、検索要求が行われると、ライブ映像検索サーバ１０では、検索キー情報が受信され（Ｓ４１）、その検索キー情報を基にデータベース１３内の検索が実行される（Ｓ４２）。検索が終了すると、東京タワーを撮影対象とするカメラから出力されるライブ映像の格納場所ＵＲＬ情報が取得され（Ｓ４３）、取得されたＵＲＬ情報が端末２に送信される（Ｓ４４）。
【００３１】
端末２のディスプレイ上では、検索結果として、検索サイトのウェブページに、送信されてきたＵＲＬ情報が表示される。ユーザは、端末２を用いてこのＵＲＬにＨＴＴＰに基づいてアクセスし、東京タワーが映っているライブ映像を端末２にダウンロードする。
【００３２】
以上のように、本実施形態によれば、端末２のユーザの希望するライブ映像を、直接、端末２にダウンロードすることができる。この為、従来のように、希望するライブ映像を提供しているウェブサイトのトップページに一旦アクセスしてから、そのライブ映像のリンクにアクセスし、希望するライブ映像を取得するといった面倒な作業を行うことなく、所望のライブ映像を取得することが可能となる。
【００３３】
尚、カメラ情報管理テーブル１３０及びライブ映像ＵＲＬ管理テーブル１３３にカメラの撮影情報やライブ映像のＵＲＬ情報を登録せず、ライブ映像検索部１４が、各カメラを管理するウェブサイトのタグ情報に含まれるカメラの撮影情報等を参照して検索を実行したり、ＵＲＬ情報取得部１５が、上記タグ情報からＵＲＬ情報を取得したりする構成としても良い。
【００３４】
（第二実施形態）
図５は、本発明の第二実施形態に係るライブ映像検索サーバの内部構成図である。
本実施形態のライブ映像検索サーバ２０は、第一実施形態で説明したライブ映像検索サーバ１０にライブ映像ダウンロード部２７を備えた構成としている。その他の構成は第一実施形態と同様である。
【００３５】
ライブ映像ダウンロード部２７は、ＵＲＬ情報取得部１５によって取得されたＵＲＬ情報に基づいてライブ映像をダウンロードし、ダウンロードしたライブ映像を送信部１６に伝達する。送信部１６は、伝達されたライブ映像を端末２に送信する。端末２のディスプレイ上では、送信されてきたライブ映像が表示される。
【００３６】
したがって、第二実施形態によれば、端末２にＵＲＬ情報を送信せずに、そのＵＲＬ情報に基づいてダウンロードしたライブ映像を送信することで、端末２のユーザが、ＵＲＬにアクセスしてライブ映像をダウンロードするといった手間を省くことができ、所望の撮影対象を含むライブ映像を取得するまでに要する時間を短縮することができる。
【００３７】
（第三実施形態）
第一実施形態及び第二実施形態では、ＰＣや携帯電話機等の端末２として、ライブ映像取得支援システムの説明をしたが、端末２が携帯電話機である場合、携帯電話機は、機種毎にディスプレイの表示能力（表示画面サイズや解像度等、以下機種能力という）が異なる為、検索の結果送信されてくるライブ映像や、検索の結果送信されてくるＵＲＬにアクセスして得られるライブ映像を、機種に応じた最適な状態で表示できないという問題が発生する。
【００３８】
そこで、本実施形態では、検索の結果得られるライブ映像を、端末２の機種に応じて変換してから提供する構成とした。以下、本発明の第三実施形態について説明する。
図６は、本発明の第三実施形態に係るライブ映像検索サーバの内部構成図である。
本実施形態のライブ映像検索サーバ３０は、第二実施形態で説明したライブ映像検索サーバ２０に、ライブ映像変換部３８と、機種判定部３９と、端末２の機種名毎の機種能力が登録される機種情報管理テーブルをデータベース１３に追加したデータベース３３とを加えた構成としたものである。その他の構成は、第二実施形態と同様である。
【００３９】
機種判定部３９は、検索キー情報受信部１１でＨＴＴＰに基づいて検索キー情報が受信されると、その検索キー情報の送信元の端末の機種を判定し、判定結果をライブ映像変換部３８に伝達する。
【００４０】
ライブ映像変換部３８は、ライブ映像ダウンロード部２７によりライブ映像がダウンロードされると、検索キー情報を送信してきた端末２の機種名とデータベース３３の機種情報管理テーブルとを参照して、ダウンロードされたライブ映像を、検索キー情報を送信してきた端末の機種能力に応じたライブ映像に変換する。
【００４１】
次に、本実施形態に係るライブ映像検索サーバの動作について説明する。
図７は、本発明の第三実施形態に係るライブ映像検索サーバの動作を説明する為のフローチャートである。尚、図４で説明した動作と同様のフローには同一符号を付して説明を省略する。
【００４２】
Ｓ４１においてＨＴＴＰに基づいて検索キー情報が受信されると、検索キー情報の送信元の端末の機種が判定される（Ｓ７１）。その後、Ｓ４３においてＵＲＬ情報が取得されると、そのＵＲＬ情報に基づいてライブ映像がダウンロードされる（Ｓ７２）。ダウンロードされたライブ映像は、検索キー情報の送信元の端末の機種の機種能力に応じたライブ映像に変換され（Ｓ７３）、変換後のライブ映像が端末２に送信される（Ｓ７４）。端末２では、ライブ映像検索サーバ３０から送信されてくるライブ映像が、ディスプレイ上に表示される。
【００４３】
したがって、第三実施形態によれば、端末２の希望するライブ映像が、端末２の機種能力に応じたライブ映像に変換されて送信されてくる為、端末２のディスプレイにおいて、ライブ映像を最適な状態で表示することができる。
【００４４】
尚、本実施形態では、ライブ映像変換部３８により変換されたライブ映像を、端末２に直接送信しているが、このライブ映像を、ネットワーク３に接続されるデータベースに一旦格納し、その格納場所のＵＲＬ情報を端末２に送信する構成としても良い。これにより、検索の結果得られるライブ映像が複数あった場合でも、それら複数のライブ映像の変換後の映像を端末２に全て送信する場合に比べ、通信量を抑えることができる。
【００４５】
（第四実施形態）
第三実施形態で説明した構成（検索結果であるライブ映像を、機種に応じて変換してから送信する構成）では、検索結果が複数あった場合、ユーザが、その複数のライブ映像の全てを必要としていない場合でも、全てのライブ映像に対して機種能力に応じた変換処理を行う為、無駄な処理が発生してしまう。そこで、第四実施形態では、端末２からのＵＲＬ情報へのアクセス（ライブ映像の取得要求）があった際に、そのライブ映像を機種能力に応じたライブ映像に変換して送信する構成とした。
【００４６】
図８は、本発明の第四実施形態に係るライブ映像検索サーバの内部構成図である。尚、図２と同様の構成には同一符号を付して説明を省略する。
ライブ映像検索サーバ４０は、第一実施形態で説明したライブ映像検索サーバ１０に、ＨＴＴＰリクエスト受信部４１、ライブ映像ダウンロード部４７、ライブ映像変換部４８、及び機種判定部４９を加えた構成としたものである。
【００４７】
尚、本実施形態においては、データベース１３のライブ映像ＵＲＬ管理テーブルに登録されるＵＲＬ情報に、ＨＴＴＰに基づいて端末２からアクセスした場合、ライブ映像検索サーバ４０にＨＴＴＰリクエストが転送され、ライブ映像検索サーバ４０が、ＨＴＴＰリクエストに含まれるＵＲＬ情報にアクセスしてライブ映像をダウンロードし、ダウンロードしたライブ映像を端末２にＨＴＴＰのレスポンスとして返信するようになっている。
【００４８】
ＨＴＴＰリクエスト受信部４１は、端末２のユーザが、検索の結果送信されてきたＵＲＬ情報にＨＴＴＰに基づいてアクセスした際のＨＴＴＰリクエストを受信する。
【００４９】
ライブ映像ダウンロード部４７は、ＨＴＴＰリクエストに含まれるＵＲＬ情報に基づいてライブ映像をダウンロードする。
【００５０】
機種判定部４９は、ＨＴＴＰリクエスト受信部４１でＨＴＴＰリクエストが受信されると、リクエスト元の端末の機種を判定し、判定した機種名をライブ映像変換部４８に通知する。
【００５１】
ライブ映像変換部４８は、ライブ映像ダウンロード部４７によりダウンロードされたライブ映像を、機種判定部４９から通知された機種の機種能力に応じたライブ映像に変換し、送信部１６に伝達する。この為、データベース１３には、第二実施形態で説明した機種情報管理テーブルが登録されており、ライブ映像変換部４８は、このテーブルを基にライブ映像の変換を行う。
【００５２】
次に、本発明の第四実施形態に係るライブ映像検索サーバの動作について説明する。図９は、本発明の第四実施形態に係るライブ映像検索サーバの動作を説明する為のフローチャートである。尚、図４に示したフローと同様のフローには同一符号を付して説明を省略する。
【００５３】
Ｓ４４において端末２にＵＲＬ情報が送信され、端末２からＨＴＴＰに基づいてそのＵＲＬにアクセスがあると、ライブ映像検索サーバ４０においてＨＴＴＰのリクエストが受信され（Ｓ９１）、ＨＴＴＰリクエストに含まれるアクセス元の端末の機種情報により、端末の機種が判定される（Ｓ９２）。ＨＴＴＰリクエスト受信後、そのリクエストに含まれるＵＲＬに基づくライブ映像がダウンロードされ（Ｓ９３）、ダウンロードされたライブ映像が、アクセス元の端末の機種の機種能力に応じたライブ映像に変換される（Ｓ９４）。そして、変換後のライブ映像がＨＴＴＰのレスポンスでアクセス元の端末２に返信される（Ｓ９５）。端末２では、返信されてきたライブ映像がディスプレイに表示される。
【００５４】
したがって、本実施形態によれば、携帯電話機のような機種毎の機種能力が異なる端末によってライブ映像の検索が行われた場合、検索結果として送信したＵＲＬ情報にアクセスがある毎に、ライブ映像の変換を行う。この為、ユーザが必要とするライブ映像についてのみ、映像の変換処理を行うことができ、ライブ映像検索サーバ４０の処理負荷を軽減することができる。
【００５５】
【発明の効果】
本発明によれば、所望のライブ映像を容易に取得することができるサービスを行うライブ映像取得支援サービスサーバを提供することができる。
【図面の簡単な説明】
【図１】本発明の第一実施形態に係るライブ映像取得支援システムの構成図である。
【図２】本発明の第一実施形態に係るライブ映像検索サーバ１０の内部構成図である。
【図３】本発明の第一実施形態に係るデータベース内に登録されるデータのデータ構成図である。
【図４】本発明の第一実施形態に係るライブ映像検索サーバの動作を説明する為のフローチャートである。
【図５】本発明の第二実施形態に係るライブ映像検索サーバの内部構成図である。
【図６】本発明の第三実施形態に係るライブ映像検索サーバの内部構成図である。
【図７】本発明の第三実施形態に係るライブ映像検索サーバの動作を説明する為のフローチャートである。
【図８】本発明の第四実施形態に係るライブ映像検索サーバの内部構成図である。
【図９】本発明の第四実施形態に係るライブ映像検索サーバの動作を説明する為のフローチャートである。
【符号の説明】
１　ライブ映像取得支援システム
２　端末
３　ネットワーク
４　ウェブサイト
１０，２０，３０，４０　ライブ映像検索サーバ
１１　検索キー情報受信部
１２　制御部
１３，３３　データベース
１４　ライブ映像検索部
１５　ＵＲＬ情報取得部
１６　送信部
２７，４７　ライブ映像ダウンロード部
３８，４８　ライブ映像変換部
３９，４９　機種判定部
４１　ＨＴＴＰリクエスト受信部
１３０　カメラ情報管理テーブル
１３１　ランドマーク管理テーブル
１３２　行政区分管理テーブル
１３３　ライブ映像ＵＲＬ管理テーブル
【図１】
2004120390.tif 000003
【図２】
2004120390.tif 000004
【図３】
2004120390.tif 000005
【図４】
2004120390.tif 000006
【図５】
2004120390.tif 000007
【図６】
2004120390.tif 000008
【図７】
2004120390.tif 000009
【図８】
2004120390.tif 000010
【図９】
2004120390.tif 000011